(57)【要約】【課題】被洗浄者の皮膚面の洗浄を行う洗浄液を皮膚面に対して優しく噴射すると共に、皮膚面に接触させた洗浄済排液を外部へ漏水させることなく回収することができる洗浄装置を提供する。【解決手段】皮膚面を洗浄する洗浄液を貯留する給水部、該給水部の洗浄液を皮膚面に供給するアダプタヘッドと該アダプタヘッドに連設し、操作者が把持する把持部とからなる洗浄アダプタ、皮膚面を洗浄した排液を吸引し貯留する吸引排水部、とからなり、前記洗浄アダプタのアダプタヘッドは前記給水部から供給される洗浄液を皮膚面に噴射する噴射口を有する皮膚洗浄面と、該皮膚洗浄面の上方に開口の外部空気吸入口とからなり、前記把持部は前記吸引排水部につながる空洞を有し、前記給水部から供給される洗浄液を前記アダプタの噴射口から皮膚面に向けて噴射し、皮膚面を洗浄した洗浄排液を前記吸引排水部で吸引し貯留する洗浄装置である。【選択図】図１
2015047259.tif 000002
【特許請求の範囲】
【請求項１】
皮膚面を洗浄する洗浄液を貯留する給水部、
該給水部の洗浄液を皮膚面に供給するアダプタヘッドと該アダプタヘッドに連設し、操作者が把持する把持部とからなる洗浄アダプタ、
皮膚面を洗浄した排液を吸引し貯留する吸引排水部、
とからなり、
前記洗浄アダプタのアダプタヘッドは前記給水部から供給される洗浄液を皮膚面に噴射する噴射口を有する皮膚洗浄面と、該皮膚洗浄面の上方に開口の外部空気吸入口とからなり、
前記把持部は前記吸引排水部につながる空洞を有し、
前記給水部から供給される洗浄液を前記アダプタの噴射口から皮膚面に向けて噴射し、皮膚面を洗浄した洗浄排液を前記吸引排水部で吸引し貯留する
洗浄装置。
【請求項２】
皮膚面を洗浄する洗浄液を貯留する給水部、
該給水部の洗浄液を皮膚面に供給するアダプタヘッドと該アダプタヘッドに連設し、操作者が把持する把持部とからなる洗浄アダプタ、
皮膚面を洗浄した排液を吸引し貯留する吸引排水部、
皮膚面に供給する洗浄液の噴出を制御する自動制御スイッチ、
とからなり、
前記洗浄アダプタのアダプタヘッドは前記給水部から供給される洗浄液を皮膚面に噴射する噴射口を有する皮膚洗浄面と、該皮膚洗浄面の上方に開口の外部空気吸入口とからなり、
前記把持部は前記吸引排水部につながる空洞を有し、
前記自動制御スイッチは前記アダプタヘッドの皮膚洗浄面と皮膚面との間に発生する負圧により作動し、
該自動制御スイッチの作動により前記給水部から供給される洗浄液を前記アダプタの噴射口から皮膚面に向けて噴射し、皮膚面を洗浄した洗浄排液を前記吸引排水部で吸引し貯留する
洗浄装置。
【請求項３】
皮膚面を洗浄する洗浄液を貯留する給水部、
該給水部の洗浄液を皮膚面に供給するアダプタヘッドと該アダプタヘッドに連設し、操作者が把持する把持部とからなる洗浄アダプタ、
皮膚面を洗浄した排液を吸引し貯留する吸引排水部、
とからなり、
前記洗浄アダプタのアダプタヘッドは前記給水部から供給される洗浄液を皮膚面に噴射する噴射口を有する皮膚洗浄面と、該皮膚洗浄面の上方に開口の外部空気吸入口とからなり、
前記把持部は前記吸引排水部につながる空洞を有し、
前記外部空気吸入口の空気流入面積を４×１０−４ｍ２〜８×１０−４ｍ２
前記洗浄液噴出口からの洗浄液噴出速度を１〜３ｍ／ｓ
前記吸引排水部の吸引圧力を−１〜−３ｋＰａ
前記噴射口の洗浄液噴射角度を１０〜３０°
に設定し、
前記給水部から供給される洗浄液を前記アダプタの噴射口から皮膚面に向けて噴射し、皮膚面を洗浄した洗浄排液を前記吸引排水部で吸引し貯留する
洗浄装置。
【請求項４】
皮膚面を洗浄する洗浄液を貯留する給水部、
該給水部の洗浄液を皮膚面に供給するアダプタヘッドと該アダプタヘッドに連設し、操作者が把持する把持部とからなる洗浄アダプタ、
皮膚面を洗浄した排液を吸引し貯留する吸引排水部、
皮膚面に供給する洗浄液の噴出を制御する自動制御スイッチ、
とからなり、
前記洗浄アダプタのアダプタヘッドは前記給水部から供給される洗浄液を皮膚面に噴射する噴射口を有する皮膚洗浄面と、該皮膚洗浄面の上方に開口の外部空気吸入口とからなり、
前記把持部は前記吸引排水部につながる空洞を有し、
前記外部空気吸入口の空気流入面積を４×１０−４ｍ２〜８×１０−４ｍ２
前記洗浄液噴出口からの洗浄液噴出速度を１〜３ｍ／ｓ
前記吸引排水部の吸引圧力を−１〜−３ｋＰａ
前記噴射口の洗浄液噴射角度を１０〜３０°
に設定し、
前記自動制御スイッチは前記アダプタヘッドの皮膚洗浄面と皮膚面との間に発生する圧力が−２．５ｋＰａ以下で作動し、
該自動制御スイッチの作動により前記給水部から供給される洗浄液を前記アダプタの噴射口から皮膚面に向けて噴射し、皮膚面を洗浄した洗浄排液を前記吸引排水部で吸引し貯留する
洗浄装置。
【発明の詳細な説明】
【技術分野】
【０００１】
本発明は、人間の身体を洗浄する洗浄装置に関するもので、例えば寝たきりの老人や足の怪我等で動けない患者、乳幼児等の被洗浄者に対して身体の一部または全身を効果的に洗浄することができる洗浄装置に関するものである。
また、本発明洗浄装置は人間の皮膚を洗浄するのに快適に設計しているが、ペット用、或いは構造物の壁面等の洗浄にも好適に使用できるものである。
【背景技術】
【０００２】
人の体を洗う一般的な手段は風呂、シャワー等であるが、例えば寝たきりで起ることが困難である人、あるいは歩行等が困難な人、リハビリ患者等にあっては、身体洗浄のための入浴又はシャワーを浴びることが困難な場合が多く、身体を清潔に保つことに苦慮している。また健康な人であっても、例えば体臭を有し、あるいは腋臭を有する人にとっては、身体の部分的洗浄を頻繁に行なうことが望ましいが、頻繁に入浴やシャワーを浴びることは事実上困難である。
【０００３】
また、寝たきり老人や足の怪我等で動けない患者の排泄にはおむつが使用されるが、排泄後おむつを外した後の排泄部分を簡便に洗浄する必要がある。そのため、濡れた布やガーゼ、脱脂綿等で払拭しているが、看護に当たる人々の労力は大変である。
【０００４】
そこで、簡便に身体を洗浄する装置が多数考案されている。
例えば、特許文献１には水、温水その他の洗浄液を貯留する給液槽と、略吸盤状をなし、開口縁が人体の洗浄すべき部位の周辺に密着する外形形状を備えた洗浄器本体と、前記給液槽内の洗浄液を洗浄器本体内に給水する給液管と、洗浄器本体内の気液を吸引して排出するための吸引装置とを備え、吸引装置で洗浄器本体内を減圧することにより給液槽から洗浄液を供給して局部を洗浄すると共に洗浄器本体内の排液を吸引廃棄するように構成した人体洗浄機が開示されている。
【０００５】
また、特許文献２には、身体の皮膚面に対して洗浄液を射出させることができる射水ノズル、及び該射水ノズルから皮膚に向けて射出された後の洗浄済水を回収するバキューム口を有する洗浄アダプタと、該洗浄アダプタに設けられているバキューム口を負圧とすると共に上記射水ノズルより圧力水を噴射せしめるためのポンプ、及び該ポンプの駆動力で上記射水ノズルから射出するための洗浄液を封入する洗浄液タンク、及び上記バキューム口から吸引された洗浄済水を回収する回収タンクを備えた洗浄装置本体とからなる身体の洗浄装置が開示されている。
【０００６】
しかし、ここに提案されている装置は、洗浄器本体が人体に密着するように構成され、吸引装置の吸引力により洗浄液を局部に供給しているために人体の局部に強い吸引力が作用し、皮膚を傷める危険性がある。
このような状況に鑑み本発明者は、身体の洗浄を行う洗浄液を皮膚面に対して優しく噴射すると共に、身体皮膚面に接触させた洗浄済排水を外部へ漏水させることなく回収することができる身体洗浄装置を提案した（特許文献３）。
【先行技術文献】
【特許文献】
【０００７】
【特許文献１】特開２０００−２２５１６９
【特許文献２】特開２００１−１４５６８２
【特許文献３】特開２０１０−２７３９４５
【発明の概要】
【発明が解決しようとする課題】
【０００８】
人或いはペット等の身体を洗浄する装置（以下単に洗浄装置と表現する）は、シャワーとして出した水を漏らさずに吸い込むことが課題である。
先の提案（特許文献３）では、上述したように、身体の洗浄を行う洗浄液を皮膚面に対して優しく噴射すると共に、皮膚面に接触させた洗浄済み排液を外部へ漏水させることなく回収することができる身体洗浄装置を提案したが、より爽快に洗浄ができ、洗浄済み排液を漏水させることなく排除することを課題として改良研究を進めた。
【０００９】
即ち、歩行困難な高齢者は入浴するのに車いすなどに移乗して浴室に行き、さらに浴槽でも身体の洗浄は介護スタッフが手間をかけて行っている。それを解決するために、ベッド上で使用できる洗浄機器の開発が切望されている。
また、トイレへの移動が困難な高齢者が排泄時の陰部洗浄は清拭で介護スタッフが行っていたが、羞恥心など高齢者・介護スタッフ双方にとっての心身面の負担があるため、自らベッド上で洗浄できる洗浄装置の開発が望まれている。
【課題を解決するための手段】
【００１０】
本発明の洗浄装置は、皮膚面を洗浄する洗浄液を貯留する給水部、該給水部の洗浄液を皮膚面に供給するアダプタヘッドと該アダプタヘッドに連設し、操作者が把持する把持部とからなる洗浄アダプタ、皮膚面を洗浄した排液を吸引し貯留する吸引排水部、とからなり、
前記洗浄アダプタのアダプタヘッドは前記給水部から供給される洗浄液を皮膚面に噴射する噴射口を有する皮膚洗浄面と、該皮膚洗浄面の上方に開口の外部空気吸入口とからなり、前記把持部は前記吸引排水部につながる空洞を有し、
前記給水部から供給される洗浄液を前記アダプタの噴射口から皮膚面に向けて噴射し、皮膚面を洗浄した洗浄排液を前記吸引排水部で吸引し貯留することを特徴とする。
【００１１】
また、本発明の洗浄装置は、皮膚面を洗浄する洗浄液を貯留する給水部、該給水部の洗浄液を皮膚面に供給するアダプタヘッドと該アダプタヘッドに連設し、操作者が把持する把持部とからなる洗浄アダプタ、皮膚面を洗浄した排液を吸引し貯留する吸引排水部、皮膚面に供給する洗浄液の噴出を制御する自動制御スイッチ、とからなり、
前記洗浄アダプタのアダプタヘッドは前記給水部から供給される洗浄液を皮膚面に噴射する噴射口を有する皮膚洗浄面と、該皮膚洗浄面の上方に開口の外部空気吸入口とからなり、前記把持部は前記吸引排水部につながる空洞を有し、
前記自動制御スイッチは前記アダプタヘッドの皮膚洗浄面と皮膚面との間に発生する負圧により制御され、該自動制御スイッチの制御により前記給水部から供給される洗浄液を前記アダプタの噴射口から皮膚面に向けて噴射し、皮膚面を洗浄した洗浄排液を前記吸引排水部で吸引し貯留することを特徴とする。
前記自動制御スイッチは前記負圧が所定値以下で作動し、前記アダプタの噴射口から皮膚面に向けて前記洗浄液を噴射し、前記負圧が所定値以上で作動を停止し、前記アダプタの噴射口からの前記洗浄液の噴射を停止する。
【００１２】
また、本発明の洗浄装置は、皮膚面を洗浄する洗浄液を貯留する給水部、該給水部の洗浄液を皮膚面に供給するアダプタヘッドと該アダプタヘッドに連設し、操作者が把持する把持部とからなる洗浄アダプタ、皮膚面を洗浄した排液を吸引し貯留する吸引排水部、とからなり、
前記洗浄アダプタのアダプタヘッドは前記給水部から供給される洗浄液を皮膚面に噴射する噴射口を有する皮膚洗浄面と、該皮膚洗浄面の上方に開口の外部空気吸入口とからなり、前記把持部は前記吸引排水部につながる空洞を有し、
前記外部空気吸入口の空気流入面積を４×１０−４ｍ２〜８×１０−４ｍ２
前記洗浄液噴出口からの洗浄液噴出速度を１〜３ｍ／ｓ
前記吸引排水部の吸引圧力を−１〜−３ｋＰａ
前記噴射口の洗浄液噴射角度を１０〜３０°
に設定し、
前記給水部から供給される洗浄液を前記アダプタの噴射口から皮膚面に向けて噴射し、皮膚面を洗浄した洗浄排液を前記吸引排水部で吸引し貯留することを特徴とする。
【００１３】
また、本発明の洗浄装置は、皮膚面を洗浄する洗浄液を貯留する給水部、該給水部の洗浄液を皮膚面に供給するアダプタヘッドと該アダプタヘッドに連設し、操作者が把持する把持部とからなる洗浄アダプタ、皮膚面を洗浄した排液を吸引し貯留する吸引排水部、皮膚面に供給する洗浄液の噴出を制御する自動制御スイッチ、とからなり、
前記洗浄アダプタのアダプタヘッドは前記給水部から供給される洗浄液を皮膚面に噴射する噴射口を有する皮膚洗浄面と、該皮膚洗浄面の上方に開口の外部空気吸入口とからなり、前記把持部は前記吸引排水部につながる空洞を有し、
前記外部空気吸入口の空気流入面積を４×１０−４ｍ２〜８×１０−４ｍ２
前記洗浄液噴出口からの洗浄液噴出速度を１〜３ｍ／ｓ
前記吸引排水部の吸引圧力を−１〜−３ｋＰａ
前記噴射口の洗浄液噴射角度を１０〜３０°
に設定し、
前記自動制御スイッチは前記アダプタヘッドの皮膚洗浄面と皮膚面との間に発生する圧力が−２．５ｋＰａ以下で作動し、
該自動制御スイッチの作動により前記給水部から供給される洗浄液を前記アダプタの噴射口から皮膚面に向けて噴射し、皮膚面を洗浄した洗浄排液を前記吸引排水部で吸引し貯留することを特徴とする。
前記自動制御スイッチは前記圧力が−２．５ｋＰａ以下で作動し、前記アダプタの噴射口から皮膚面に向けて前記洗浄液を噴射し、前記圧力が−２．５ｋＰａ以上で作動を停止し、前記アダプタの噴射口からの前記洗浄液の噴射を停止する。
【発明の効果】
【００１４】
本発明の洗浄装置は、給水部の洗浄液を皮膚面に好適な角度で供給するので皮膚面の洗浄を行う洗浄液を皮膚面に対して優しい圧力で噴射することができ、皮膚面を洗浄した排液を吸引排水部で吸引するので外部へ漏水させることなく回収することができる。
また、洗浄液の供給量、排液の吸引力を任意に調整でき、洗浄箇所の皮膚の状態によって適宜に配水量、排液吸引量の調整が容易にでき、従ってベッド等に寝かせたままでの身体洗浄あるいは衣服を着用しているままでの皮膚（身体）の部分的洗浄が快適に可能となる優れた効果を有するものである。
本発明洗浄装置は人間の皮膚を洗浄するのに快適に設計されているが、ペット用として、或いは構造物の壁面等の洗浄用として好適に使用できることは勿論である。
【図面の簡単な説明】
【００１５】
【図１】洗浄装置の一実施形態を示す一部断面説明図である。
【図２】（イ）（ロ）(ハ)は洗浄アダプタのアダプタヘッド部分の一実施形態を示す斜視図、（ニ）は洗浄アダプタの空気流の一例を示す模式図である。
【図３】洗浄アダプタと被洗浄面との位置関係を示す説明図である。
【図４】洗浄手順を示す工程図である。
【発明を実施するための形態】
【００１６】
本発明を、図示した一実施形態により詳細に説明する。
図１は洗浄装置の一実施形態で、本実施形態は人間の身体（皮膚）を対象として設計した洗浄装置である。
図１において、１は人体の皮膚面を洗浄する石鹸水、消毒液等の洗浄液やすすぎの水等の洗浄水（以下これらを洗浄液という）１１を貯留するとともに該洗浄液１１を皮膚面に搬送供給する給水部、２は該給水部１から身体皮膚面に供給された洗浄液１１で皮膚を洗浄する洗浄アダプタ（以下単にアダプタと表現することがある）、３は皮膚面を洗浄した排液を吸引し貯留する吸引排水部である。
【００１７】
本実施形態では、給水部１、吸引排水部３は移動可能なように収納装置５に組み込むことが好ましい。図示しないが、身体洗浄装置を持ち運び容易なキャスター付き収納装置に組み込むことで、容易に持ち運ぶことができ、被洗浄者の元に手軽に移動することができる。
【００１８】
以下各部につき詳細に説明する。
給水部１
給水部１は所定量の洗浄液１１を貯留する洗浄液タンク１２、洗浄液を洗浄アダプタ２に供給する配水ポンプ１３、必要により洗浄液１１を暖める電熱器あるいは熱交換器等からなる加温装置１４とで構成されている。なお、洗浄液とすすぎのための水とのタンクを別々に設け、給水配管１５を切り替えるように構成することも可能であることは勿論である。
洗浄液タンク１２内の洗浄液１１は該洗浄液タンク１２と洗浄アダプタ２とを接続する給水配管１５によりアダプタ２へ供給される。洗浄液１１を洗浄アダプタ２に送る方法としては、後述する吸引排水部３の吸引力によって吸い上げる方法もあるが、本実施形態では給水ポンプ１３を用いて供給する。給水ポンプ１３の操作は水量調節装置（例えばスライッダク）により行う。水量の調節は水量調節装置の水量調節スイッチを操作して配水ポンプ１３の出力を制御し配水量を調整する。なお、水量調節スイッチは前記収納装置に、或いは後述する洗浄アダプタ２の把持部２１等、操作者が操作し易い位置に設けることが好ましい。
洗浄液１１は皮膚に直接当たるため特に冬場は冷たく感じる場合がある。そのようなときには加温装置１４、例えばヒータにより洗浄液１１を温めて供給することが好ましい。
【００１９】
洗浄アダプタ２
図２は洗浄アダプタ２のアダプタヘッド２０部分の一実施形態を示すもので、（イ）（ロ）は本実施形態の斜視図、（ハ）は噴射口２２から噴射される洗浄液の噴射角度（矢印）を模式的に示す模式図であり、（ニ）はアダプタ２内の空気流を模式的に示した図である。
洗浄アダプタ２は前記吸引排水部３につながる空洞２６を有し、操作者が把持する中空の把持部２１と、該把持部２１の先端に設けられ、前記吸水部１から供給される洗浄液１１を皮膚面に噴射する噴射口２２を有する皮膚洗浄面２３と該皮膚洗浄面２３の上方に開口の外部空気吸入口２４とを有するアダプタヘッド２０からなり、前記把持部２１の後端には吸引排水部３に接続する吸引口２５（図２（ニ）参照）が設けられている。
なお、皮膚洗浄面２３と外部空気吸入口２４との位置関係は、図２に示すように外部空気吸入口２４を皮膚洗浄面２３の直上に設けるか、噴射口２２から噴射する洗浄液１１を被洗浄面方向に誘導するような、直上よりもやや角度を有する位置に設けることが好ましい。
また、外部空気吸入口２４の面積については後述するが、該外部空気吸入口２４の大きさを調整する例えばシャッターを設けることも有効である。
【００２０】
アダプタ２の各部につきより詳細に説明する。
洗浄アダプタ２は図２（ニ）に示すように操作者が把持する空洞２６を有する把持部２１と、該把持部と連設するアダプタヘッド２０とからなり、両者は一体的に成形し、或いは別体に作成して組み付けるようにしてもよい。
把持部２１の空洞２６は把持部後端に設けた吸引口２５にフレキシブル配管３５（図１参照）を接続することで吸引排水部３につながっている。
アダプタヘッド２０は該把持部２１の先端に設けられ、前記給水部１から供給される洗浄液１１を皮膚面に噴射する噴射口２２を有する皮膚洗浄面２３と、該皮膚洗浄面２３の上方に開口の外部空気吸入口２４とからなっている。
【００２１】
給水部１から供給される洗浄液１１を皮膚面に噴射する噴射口２２はアダプタヘッド２０の皮膚洗浄面２３の周囲で、被洗浄面（皮膚）に接触する程度の近傍に設けられる。噴射口２２はアダプタヘッド２０と一体に設けることもできるが、別体に作成し、噴射口２２をアダプタヘッド２０に取り付けるように構成することもできる。例えば噴射口２２をアダプタヘッド２０とは別の材料、一例として伸縮性のある樹脂（例えばシリコン樹脂）を素材とし、噴射口２２の大きさを洗浄液１１が常圧では漏れず、負圧になると洗浄液１１が噴出する程度に小さくし、あるいは洗浄液１１の噴出圧力で弁が開くような構造とし、常圧では洗浄液１１が漏れない構造とすることも可能となり、より好ましい。
【００２２】
噴射口２２は皮膚面に洗浄液が的確に噴射されるような角度で穿設され、口の大きさや形状により噴水量や噴出角度を調整する。例えば、該噴射口２２は洗浄液が皮膚面にやわらかく噴射し、被洗浄者に爽快感を与える程度の傾斜で設ける。
被洗浄者に爽快感を与える噴射口２２の大きさ、吸引圧力、外部空気吸入口２４の開口面積等は、常に相関関係にあり、一概に決められないが、洗浄に当たり漏水が無く、被洗浄者（洗浄を受ける側の人）に洗浄に対し爽快感を与えることができる範囲とすることが好ましい。
【００２３】
図２（ハ）に矢印で示すように、噴射口２２から洗浄液１１を被洗浄面に噴射する角度は、後述する外部空気吸入口２４の構造にもよるが、被洗浄面に対し１０〜３０°に設定する。噴射角度が１０°以下では洗浄水が被洗浄面に充分に当たらず、洗浄能力が低下すると共に洗浄を受ける者（被洗浄面）に爽快感を与えることができないためである。また、噴射角度が３０°以上になると洗浄液１１が被洗浄面に対し強く当たる結果となり、後述する外部空気吸入口２４からの空気流にもよるが、洗浄液１１が被洗浄面から跳ね返り、洗浄面の形状によっては洗浄済み排液３３を充分に吸収（吸引）できず、液漏れの原因となる危険性がある。従って、噴射口２２の角度は被洗浄面に対し１０〜３０°の角度が好ましく、より好ましい角度は１５〜２５°であり、この範囲とすることで、洗浄能力が向上し、漏水がなく、被洗浄者に爽快感を与えることができる。
噴射口２２を設ける位置は上記角度で被洗浄面に近い位置で被洗浄面に洗浄液が的確に当たる角度で開口すればよい。また、噴射口２２の数はアダプタヘッド２０の大きさ、洗浄する範囲等を勘案して決めることができる。
【００２４】
洗浄液１１の噴射口２２からの洗浄液噴出速度は１〜３ｍ／ｓとすることで被洗浄者に爽快感を与えることができる。
洗浄液１１の噴出速度は１ｍ／ｓ以下では流速が弱く、被洗浄面に当たる強さが弱いため被洗浄者に快感を与えることが難しく、洗浄液の噴出速度が３ｍ／ｓ以上であると被洗浄面に当たる強さがより強いため被洗浄者に不快感を与えることとなり、また、洗浄水が飛び散る惧れがあり、漏水の原因ともなるため好ましくない。
【００２５】
皮膚洗浄面２３の上方に開口する外部空気吸入口２４は、その空気流入面積を４×１０−４ｍ２〜８×１０−４ｍ２とすることが好ましい。空気流入面積を４×１０−４ｍ２よりも小さく開口すると噴射口から噴射される洗浄液が被洗浄面に充分に届かず、洗浄効果が不十分となる。一方、空気流入面積を８×１０−４ｍ２以上とすると、後述する吸引圧力にもよるが洗浄水を充分に吸引することが困難となり漏水の原因となると共に、被洗浄者に爽快感を与えることができなく惧れがある。
【００２６】
図２（ニ）は上記種々の条件を解析するために用いたシミュレーション図で、給水部１から洗浄液１１をアダプタヘッド２０の噴射口２２に送り、吸引排水部３で洗浄アダプタ
２内を吸引した時に、外部空気吸入口２４から洗浄アダプタ２内に流入する空気の流れと洗浄液、洗浄済み排液の流れを示すもので、この図から明らかなように、外部空気吸入口２４から吸入される空気は噴射口２２から噴出される洗浄液を被洗浄面に的確に押し当て、洗浄効果を高めると共に被洗浄者に快感を与えている。
【００２７】
また、図２(ニ)はアダプタの把持部２１とアダプタヘッド２０とを別体に作成し、組み付けた構造を示している。
このように把持部２１とアダプタヘッド２０とを分離可能に構成すると、洗浄部分（皮膚）の汚れ等に適した素材でアダプタヘッド２０を作成し、汚染具合によって適宜交換することが可能となり、被洗浄者の満足度を増すことができ、また、皮膚に接するアダプタヘッド２０を簡単に洗浄、消毒できるので、衛生的にも満足できるものとなる。
また、アダプタヘッド２０は直接皮膚に接触する。このため、予め適温に保温し、或いはアダプタヘッド２０にヒータ等を内蔵させて暖める等の工夫を施すと良い。
【００２８】
本実施形態では把持部２１表面に給水量を制御する水量調節スイッチ２１３、洗浄アダプタ２内部の真空度と排液回収強度を調整する吸引強さ（真空度）調節スイッチ（以下真空度調節スイッチという）２１４、また、後述する吸引装置（吸引ポンプ）３２の出力が強く、真空度調節スイッチの操作のみでは吸引の強さの調整が困難な場合に圧力を調整するエアーコントロールスイッチ２１５が収納可能なスイッチ収納部２１６が形成されている（図１参照）。これらのスイッチは操作者の選択で収納装置５にのみ設けてもよく、或いは把持部２１に設けてもよく、或いは両方に設けてもよい。操作し易い個所に設置することが好ましい。
なお、水量調節スイッチ２１３、真空度調節スイッチ２１４、エアーコントロールスイッチ２１５を被洗浄者の好みに予めセットし、電源スイッチを入れることで被洗浄者の皮膚を心地よく洗浄するようにすることが好ましい。
なお、前記スイッチの切断は先ず洗浄液供給電源を切り、数秒〜数分後に吸引装置の電源を切るようにすることでアダプタ２内の洗浄済み排液３３が完全に吸引された後に吸引装置３２が止まり、液漏れ等を防止することができる。
【００２９】
上記各スイッチで洗浄操作を漏水なく行うことは操作者に多くの負担をかけることになる。そのため、本実施形態においては洗浄アダプタ２に供給する洗浄液１１の噴出を洗浄済み排液３３を吸引する圧力で自動的に制御する自動制御スイッチを設けている。
前記給水部１から皮膚面に供給する洗浄液１１の噴出開始を、皮膚面を洗浄した洗浄済み排液３３を前記吸引排水部３に吸引する吸引力（吸引圧力）で制御する自動制御スイッチは、洗浄開始前に、或いは洗浄終了時に噴射口２２から洗浄液１１が出ず、洗浄済み排液３３が漏れることなく作業するために、先ず吸引排水部３の吸引装置３２の吸引圧力を調整して作動し、アダプタヘッド２０を被洗浄面に近づけた時に給水ポンプ１３のスイッチが入り、ヘッドを被洗浄面から離した時に給水ポンプ１３のスイッチが切れるようにスイッチを切り替えるよう自動制御する。
【００３０】
自動制御スイッチにつき説明する。
図３に示すようにアダプタヘッド２０の皮膚洗浄面２３と被洗浄面６との距離をＹ、該洗浄面２３の中心と被洗浄面６とのずれをＸとし、上記アダプタヘッド２０を構成作動する条件でアダプタヘッド２０を被洗浄面６にＸ方向、Ｙ方向に種々接近させて検討した結果、皮膚洗浄面２３と皮膚６との間に発生する圧力が−２．５ｋＰａ以下でＯＮ／ＯＦＦ制御することで、失敗なく操作することができることを確認した。
このように−２．５ｋＰａ以下でスイッチ制御（給水開始）することにより給水部１から供給される洗浄液１１を前記アダプタヘッド２０の噴射口２２から被洗浄面（皮膚）９に向けて噴射し、皮膚面を洗浄した洗浄済み排液３３を前記吸引排水部１で吸引し貯留する操作を漏水することなく行うことができる。
自動制御スイッチは、例えばセンサーをアダプタヘッド２０の洗浄面２３近傍にセットし、該センサーで感知する圧力で電源スイッチを入れ、スイッチの切断を行う。前記センサーから得られた信号により、リレー回路を使って電源のON／OFFをし、或いはコンピュータで自動制御する。実際には先ず吸引装置３２の電源を入れて皮膚洗浄面２３を被洗浄面６に近づけ、センサーが指定の圧力、例えば−２．５ｋＰａ以下を感知した時に配水ポンプ１３の電源を入れる。洗浄作業が終了したならば先ず洗浄液供給電源を切り、数秒〜数分後に吸引装置３２の電源を切るようにコンピュータで制御する。このように自動制御することでアダプタ２内の洗浄済み排液３３が完全に吸引された後に吸引装置３２が止まり、液漏れ等を防止する。
【００３１】
排水部３
排水部３は図１に示すように皮膚面を洗浄した排液３３を吸引回収し貯留する排水タンク３１と、真空装置等の吸引装置３２とからなる。
排水タンク３１はタンク内の排液３３の量が分かるように例えば透明で密封可能なプラスチック容器を採用する。或いは液面計を付属させ、水量を自動的に或いは目視で確認できるようにし、排液が溢れるのを予防するように構成することが好ましい。排水タンク３１は排液３３を廃棄処理できれば良く、硬質のもの、或いは真空にしてもしぼまない補強を施した可とう性の袋状のもの等を採用することができる。排水タンク３１は排液３３を後処理するのに適した大きさに設計することが好ましい。
【００３２】
排水タンク３１と前記洗浄アダプタ２の把持部２１に設けた吸引口２５とはフレキシブル配管３５で連結されている。即ち、吸引装置３２を作動させると排水タンク３１内が減圧され、この減圧が洗浄アダプタ２の内部を減圧することで洗浄済み排水３３を吸い上げ、排水３３を排水タンク３１内に導くように構成されている。
排水タンク３１内に回収される排液３３は体を洗浄した液体であるために汚染されている。例えば排便後の肛門近辺の洗浄時には、汚物を含む排水が回収される。そのため廃水は臭気を伴い、便等が混入されてくる。これらの臭気、汚物は周辺の環境を害する恐れがあるため、排水タンク３１に汚物対策としてタンク内に例えばバイオ剤３６を添加して分解し、或いは紫外線照射装置３７により紫外線を照射して分解する等の処置を加え、環境を害さないような処理の元で外部に廃棄する。また、吸引装置３２の排ガスにも汚物等の臭いが混ざるために、排気口に消臭装置（例えば活性炭）３８を設置することが好ましい。
【００３３】
前記吸引排水部３は吸引装置（排水ポンプ）３２で洗浄アダプタ２内を吸引し、洗浄済み排液３３を漏水することなく吸引する。前記洗浄アダプタ２における吸引圧力は−１〜−３ｋＰａであることが好ましい。
吸引圧力が−１ｋＰａ以下では充分に洗浄済み排液３３を吸引できず、漏水を引き起こす惧れがある。一方、吸引圧力が−３ｋＰａ以上では洗浄済み排液３３の吸引は充分であるが、被洗浄面（皮膚）まで吸引する惧れがあり、被洗浄者に不快感を与える結果となる。
【００３４】
本発明の身体洗浄装置は上述したように、皮膚面を洗浄する洗浄液を貯留する給水部１、皮膚面を洗浄した排液を吸引し貯留する吸引排水部３、該給水部１の洗浄液１１を皮膚面に供給する洗浄アダプタ２からなり、該洗浄アダプタ２は、洗浄液を皮膚面に噴射する洗浄液噴出口２２、外部空気吸入口２３、洗浄後の排液を吸引除去する吸引口２５とで構成され、
前記洗浄液噴出口２２から噴射する液量を１ｍ／ｓ〜３ｍ／ｓ
空気吸入口２３の面積を４〜８×１０−４ｍ２
吸引口２５の吸引圧力を−１ｋＰａ〜−３ｋＰａ
の条件で皮膚面を洗浄することが好ましい。
【実施例】
【００３５】
次に、本発明の洗浄装置（自動制御スイッチ付き）の操作（実施例）に付き図４を参照して説明する。
ステップ１（ＳＴ１）
洗浄液タンク１２に例えば水、石鹸水、消毒液、或いはすすぎの水等、人体を洗浄する洗浄液１１を注入する。冬場、或いは温水を望まれるときは加温装置１４を作動させて洗浄液１１を加温する。
【００３６】
ステップ２（ＳＴ２）
把持部２１の水量調節スイッチ２１３と真空度調節スイッチ２１４を最適な条件（水量調整と真空度調整を事前に行い、被洗浄者の皮膚に洗浄アダプタ２を接触させるときには水量、真空度ともに最適な状態）にセットする。
この時、洗浄液噴出口２２から噴射する液量を１〜３ｍ／ｓ、好ましくは１．３ｍ／ｓ〜２，１ｍ／ｓ
吸引口２５の負圧を１〜３ｋＰａ、好ましくは１．７ｋＰａ〜２．４ｋＰａ
になるよう各スイッチの設定条件を調整する。
【００３７】
ステップ３（ＳＴ３）
吸引装置３２の電源を入れ洗浄アダプタ内を減圧する。
なお、自動制御スイッチを設けた洗浄装置では、先ず吸引装置３２の電源を入れる。
ステップ４（ＳＴ４）
洗浄アダプタ２を洗浄する皮膚面に接近させ、配水ポンプ１３を作動させ、洗浄液１１を噴射口２２から噴出させる。洗浄アダプタ２も予め皮膚に触れて冷たく感じない程度に保温しておくことが好ましい。
なお、自動制御スイッチを設けた洗浄装置では、洗浄アダプタ２の皮膚洗浄面２３が被洗浄面に接近し、洗浄アダプタ内の圧力が−２．５ｋＰａ以下になると自動制御スイッチが作動し、洗浄液１１が噴射口２２から噴出する。
【００３８】
ステップ５（ＳＴ５）
洗浄アダプタ２を被洗浄者に近接し、接触させて、被洗浄者の皮膚面を洗浄する。この時、洗浄液噴出口２２から噴射される洗浄液１１は洗浄液噴射口２２の角度と外部空気吸入口２４から入り込む空気の圧力により被洗浄者の皮膚を快適に洗浄し、洗浄アダプタ２の内部は吸引装置３２により減圧されるので、被洗浄者の皮膚に触れた洗浄済み排液３３は吸引口２５方向に吸引され、洗浄アダプタ２から漏れることなく排水タンク３１へと導かれ、排水タンク３１に貯留される。
【００３９】
被洗浄者に対しては、皮膚の汚れ具合によって洗浄液１１の噴射量や噴射の勢いを調整することも可能である。即ち、操作者は、排泄物等で汚れの酷い箇所に対しては水量調節スイッチ２１３を操作して上記設定条件の上限値に近い水量を供給するとともに、真空度調節スイッチ２１４を操作して真空度（空気流入量）を上げ、排泄物等を除去し、肌を清潔に洗浄する。一方、比較的汚れの少ない皮膚については上記設定条件の下限値に近い水量に調整して水量を絞り、真空度を下げて操作し、肌への刺激を弱める等、皮膚の汚れ具合により、或いは被洗浄者の爽快感を勘案して各スイッチを状況に応じて操作することは勿論である。
【００４０】
ステップ６（ＳＴ６）
被洗浄者の皮膚の洗浄を終えたなら、必要により奇麗なすすぎ水（洗浄水）で被洗浄者の皮膚を上記洗浄手順と同様にして清掃し、清掃が終了したならば各種スイッチを操作して洗浄液、またはすすぎ水の噴出を停止し、停止を確認してからアダプタヘッド２０を被洗浄面から離し、必要により乾いたタオル等で皮膚を拭き、或いはドライヤー等で乾燥し、洗浄を完了する。
なお、自動制御スイッチを設けた洗浄装置では、アダプタヘッド２０を被洗浄面から離すことで給水ポンプ１３の電源が切れ、吸引装置３２の電願が切れる。このようにして洗浄作業が終了したならば必要により乾いたタオル等で皮膚を拭き、或いはドライヤー等で乾燥し、洗浄を完了する。
ステップ７（ＳＴ７）
被洗浄者の皮膚を洗浄した洗浄排液は排水タンク３１へ貯留される。この排液は必要によりバイオ剤３６等を加え、或いは紫外線装置３７等で汚物を分解し、環境にやさしくして下水等へ廃棄する。
【００４１】
上述したように本発明の洗浄装置は、給水部の洗浄液を配水ポンプ１３により搬出し皮膚面に供給するので皮膚面の洗浄を行う洗浄液を皮膚面に対して優しく噴射することができ、皮膚面を洗浄した排液を吸引装置（ポンプ）により吸引するので外部へ漏水させることなく回収することができる。
【００４２】
また、配水ポンプ１３と吸引装置（吸引ポンプ）３２とを別々に設けることにより、洗浄液の供給量、排液の吸引力を洗浄アダプタ２の把持部２１でも操作でき、洗浄箇所の皮膚の状態によって適宜に配水量、排液吸引量の調整が洗浄アダプタ２の把持部２１に設けた水量調節スイッチ２１３、真空度調節スイッチ２１４、必要によりエアーコントロールスイッチ２１５により手元で容易にでき、従ってベッド等に寝かせたままでの身体洗浄あるいは衣服を着用したままでの身体の部分的洗浄が可能となる優れた効果を有するものである。
更に、洗浄アダプタ２を被洗浄面に接近することで自動制御スイッチを作動させるように構成することで、操作者の熟練を緩和し、より安全に操作を行うことができる優れた効果がある。
【産業上の利用可能性】
【００４３】
上記は人間の身体（皮膚）を洗浄する洗浄装置として説明したが、本発明はペット等の動物、建造物の壁面等を洗浄する洗浄装置として使用可能なことは勿論である。
【符号の説明】
【００４４】
１      給水部
１２    洗浄液タンク
１３    配水ポンプ
２      洗浄アダプタ
２０    アダプタヘッド
２１    把持部
２２    噴射口
２３    外部空気吸入口
２４    皮膚洗浄面
２５    吸引口
２６    空洞
３      排水部
３１    排水タンク
３２    吸引装置（吸引ポンプ）
５      収納装置
６      被洗浄面（皮膚面）
【図１】
2015047259.tif 000003
【図２】
2015047259.tif 000004
【図３】
2015047259.tif 000005
【図４】
2015047259.tif 000006